(57)【要約】【課題】  データ化した著作物を受信する装置において、視聴者に対して、その著作物の利用を適正に管理することを可能とする。  【解決手段】  受信装置４ｂは、配信装置で暗号化され、送信されてきたコンテンツを受信するもので、暗号化されたコンテンツを復号する復号化器５２ｂと、コンテンツの視聴制限額を保持する不揮発性メモリ６５Ｃと、購入コンテンツを選択し、選択されたコンテンツをデジタル放送により取得するチューナ５１と、取得されたコンテンツの視聴合計金額と前記視聴制限額とのいずれが大きいかを判定する制御用ＣＰＵ５８とを有する。制御用ＣＰＵ５８が視聴合計金額が視聴制限額を下回ると判定した場合には、復号化器５２ｂが復号処理を行う。【選択図】  図１３
2008005533.tif 000002
【特許請求の範囲】
【請求項１】
配信装置で暗号化され、送信されてきたコンテンツを受信する受信装置であって、
前記暗号化されたコンテンツを復号するコンテンツ復号手段と、
コンテンツの視聴制限額を保持する記憶手段と、
購入コンテンツを選択する選択手段と、
選択されたコンテンツをデジタル放送により取得する取得手段と、
取得されたコンテンツの視聴合計金額と前記視聴制限額とのいずれが大きいかを判定する判定手段と
を有し、
前記判定手段が、前記視聴合計金額が前記視聴制限額を下回ると判定した場合は、前記コンテンツ復号手段が復号処理を行うことを特徴とする受信装置。
【請求項２】
前記記憶手段は第１の復号鍵を記憶しており、
前記取得手段は、前記暗号化されたコンテンツと共に暗号化された第２の復号鍵および第３の復号鍵を受信し、
前記復号手段は、前記記憶手段に保持された第１の復号鍵を用いて前記第２の復号鍵を復号すると共に、復号された第２の復号鍵を用いて、前記暗号化された第３の復号鍵を復号する
ことを特徴とする請求項１に記載の受信装置。
【請求項３】
前記視聴合計金額が前記視聴制限額を上回る場合は、所定の処理を行う
ことを特徴とする請求項１に記載の受信装置。
【請求項４】
コンテンツ購入履歴を保持する
ことを特徴とする請求項１に記載の受信装置。
【請求項５】
前記コンテンツ購入履歴に基づいて、過去に取得されたコンテンツの情報を表示する
ことを特徴とする請求項４に記載の受信装置。
【請求項６】
配信装置で暗号化され、送信されてきたコンテンツを受信する方法であって、
コンテンツの視聴制限額を保持するステップと、
購入コンテンツを選択するステップと、
選択されたコンテンツをデジタル放送により取得するステップと、
取得されたコンテンツの視聴合計金額と前記視聴制限額とのいずれが大きいかを判定するステップと、
前記視聴合計金額が前記視聴制限額を下回る場合に、取得済の暗号化されたコンテンツを復号するステップと
を含むことを特徴とする受信方法。
【発明の詳細な説明】
【技術分野】
【０００１】
本発明は、著作物の内容であるコンテンツがデータ化されて所定の伝送路を介して配信され、受信側では、受信したコンテンツ単位で受信料が課金される著作物配信受信システムに係わり、特に、そのようなシステムに適用される受信装置および受信方法に関する。
【背景技術】
【０００２】
デジタル衛星放送の普及が進んでいる。デジタル衛星放送は、既存のアナログ放送に比べて、ノイズやフェージングに強く、高品質の信号を伝送することが可能である。また、周波数利用効率が向上され、多チャンネル化が図れる。例えば、デジタル衛星放送では１つの衛星で数百チャンネルを確保することが可能である。このようなデジタル衛星放送では、スポーツ、映画、音楽、ニュース等の専門チャンネルが多数用意されており、これらの専門チャンネルでは、それぞれの専門のコンテンツのプログラムが放映されている。
【０００３】
これらの専門チャンネルの中で、音楽チャンネルは、人気のあるチャンネルの１つであり、主に新曲やヒット曲の紹介等を行うプロモーション用の番組が放送されている。
【０００４】
このような分野に関する技術として、例えば特許文献１に示すような技術がある。
【特許文献１】特開平０４−１８０４５１号公報
【発明の開示】
【発明が解決しようとする課題】
【０００５】
上述のように、従来の音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えることがある。また、その楽曲のアーティストの情報や、その楽曲の収められているアルバムの情報を知りたくなることがある。音楽番組を見ていて、その楽曲のアーティストの情報やその楽曲の収められているアルバムの情報を知りたくなったら、その場でその情報が得られ、また、気に入った楽曲があったら、その楽曲のオーディオデータをダウンロードできれば非常に便利である。ところが、従来の音楽チャンネルでは、楽曲に関する動画と音声が一方的に送られるものであり、このような要請には応えられない。
【０００６】
そこで、このような問題点を解決するために、音楽チャンネルで放送されている音楽に関する情報を簡単に得ることができると共に、その楽曲データをデータ蓄積装置に簡単にダウンロードできるようにした音楽コンテンツ配信システムが提案されている（平成９年特許願第３０８４８８号）。
【０００７】
ところで、音楽放送チャネルを提供する場合の課金方式として、いわゆるＦＬＡＴ課金と呼ばれるものがある。この方式は、ユーザが一定の月額視聴料を支払うことにより、提供されている複数の音楽放送チャネルを聴取することができるというものである。
【０００８】
しかしながら、上記した課金方式では、一定の月額視聴料を支払いさえすれば、流れている曲をすべて、何回でもＭＤ等のディジタル記録媒体に録音できてしまう。この場合には、視聴者が一体どの曲を録音したかということを配信事業者が知ることができないため、著作物たる楽曲の著作権者に対して適正な著作権料を支払うことができない。したがって、著作権が十分に保護されなくなるおそれがあるという問題があった。
【０００９】
このような問題は、音楽コンテンツの配信を行うシステムのみならず、映像コンテンツの配信システム、さらには、いわゆる電子図書のような文字・画像情報の配信システム等のように、広く著作物を配信するシステムにおいて同様に問題となるところである。
【００１０】
本発明はかかる問題点に鑑みてなされたもので、その目的は、著作物をデータ化して配信すると共に受信者に対する課金を著作物単位で行うようにする場合において、著作権者に対して、その著作物の利用状況に見合った適正な著作権料の支払いを可能とする受信装置および受信方法を提供することにある。
【課題を解決するための手段】
【００１１】
本発明の受信装置は、配信装置で暗号化され、送信されてきたコンテンツを受信する受信装置であって、暗号化されたコンテンツを復号するコンテンツ復号手段と、コンテンツの視聴制限額を保持する記憶手段と、購入コンテンツを選択する選択手段と、選択されたコンテンツをデジタル放送により取得する取得手段と、取得されたコンテンツの視聴合計金額と視聴制限額とのいずれが大きいかを判定する判定手段とを有するものである。そして、判定手段において、視聴合計金額が視聴制限額を下回る場合は、復号手段における復号処理を行うものである。
【００１２】
本発明の受信方法は、配信装置で暗号化され、送信されてきたコンテンツを受信する方法であって、コンテンツの視聴制限額を保持するステップと、購入コンテンツを選択するステップと、選択されたコンテンツをデジタル放送により取得するステップと、取得されたコンテンツの視聴合計金額と前記視聴制限額とのいずれが大きいかを判定するステップと、視聴合計金額が前記視聴制限額を下回る場合に、取得済の暗号化されたコンテンツを復号するステップとを含むものである。
【発明を実施するための最良の形態】
【００１３】
以下、本発明の実施の形態について図面を参照して詳細に説明する。
【００１４】
図１は、本発明の一実施の形態に係る著作物配信受信システムとしての楽曲配信受信システムの全体構成を表すものである。このシステムは、デジタル衛星放送を使用して音楽番組を放送すると共に、この音楽番組と関連するオーディオデータを配信することにより、視聴者が音楽番組を試聴できるようにし、さらに、試聴して気に入った楽曲があった場合に、その場でその楽曲を簡単に購入できるようにしたＩＰＰＶ（Impulse Pay Per View）方式を採用している。ユーザは視聴した番組についての視聴料金を後払いで支払うというものである。但し、本実施の形態では、配信装置１から配信された楽曲をユーザがダウンロード（受信した楽曲を何らかの記録媒体に記録すること）した分に応じた料金を支払うという方式を意味する。なお、以下の説明において、配信される著作物としての楽曲を適宜「コンテンツ」とも記すものとする。
【００１５】
図１に示すように、この楽曲配信受信システムは、テレビジョン（ＴＶ）番組や各種の楽曲等を配信するための配信装置１と、配信装置１から受けたＴＶ番組や楽曲等の素材をアンテナ２ａから衛星３に向けて電波にのせて送信する地上局２と、本システムの加入者宅に設けられ、衛星３からの電波を受信可能な受信設備４と、この受信設備４と電話回線５を介して接続可能であると共に、専用回線を介して配信装置１とも接続可能な顧客管理センタ６とを含んで構成されている。なお、「加入者」とは、楽曲配信受信システムに加入している視聴者であり、以下の説明において、適宜、「顧客」または「ユーザ」とも記すものとする。
【００１６】
配信装置１は、番組編成入力端末１０１と、楽曲入力端末１０２と、著作権情報入力端末１０３と、著作権管理装置１０４と、暗号化装置１０５と、テレビ番組素材サーバ１０６と、楽曲素材サーバ１０７と、音声付加情報サーバ１０８と、ＧＵＩ（Graphical User Interface：グラフィカルユーザインタフェース）データサーバ１０９と、通信インタフェイス（Ｉ／Ｆ）装置１１０と、番組編成サーバ１１１を備えている。これらの各装置は、ＬＡＮ（ローカルエリアネットワーク）１１２によって相互に接続されている。このＬＡＮ１１２はルータ１１３を介して地上局２に接続されている。
【００１７】
番組編成入力端末１０１は、放送する番組を編成するための番組編成情報を入力するためのものである。番組編成情報としては、ＴＶ番組のタイトル、番組固有の識別情報であるイベントＩＤ、放送日時、ＴＶ番組と並行して配信する複数の楽曲のタイトル、これらの各楽曲のサブチャネル（オーディオチャネル）割り当てを示すサービスＩＤ、および各楽曲に付随する楽曲付随情報等がある。楽曲付随情報としては、楽曲を演奏している（または歌っている）アーティスト、作詞者、作曲者、楽曲が収録されているＣＤ（コンパクトディスク）等の記録媒体のジャケットの静止画像やそのＣＤのリリース日、およびそのアーティストに関連したコンサート情報等がある。これらの入力された番組編成情報は番組編成サーバ１１１に格納されるようになっている。また、入力された番組編成情報に含まれるいくつかの項目は、後述する番組識別情報として、著作権管理装置１０４の番組識別情報データベース（ＤＢ）１０４１に格納されるようになっている。
【００１８】
楽曲入力端末１０２は、著作権者等から提供されたＣＤ等の記録媒体に記録された楽曲を配信装置１にエントリするためのものであり、入力された楽曲は楽曲素材サーバ１０７に格納されるようになっている。なお、ＣＤ等に記録された楽曲は、著作物としての取り扱われるのが通常であって、著作権によって保護されているので、その利用に当たっては、著作権者である作詞者や作曲者、あるいは版権保有者であるレコード会社等に対する対価が必要である。特に、本実施の形態の楽曲配信受信システムのように、加入者がＩＰＰＶ方式で受信料を配信事業者に支払うようにしているシステムにおいては、加入者による受信（具体的には楽曲のダウンロード）の頻度に応じた著作権料を支払うことが必要であり、そのため、すべての加入者についての受信状況の管理が重要となる。
【００１９】
著作権情報入力端末１０３は、著作権者から得た著作権に関する情報（以下、著作権情報という。）を入力するためのものである。ここから入力された著作権情報は、後述するように、著作権管理装置１０４における著作権情報データベース（ＤＢ）１０４２に格納されるようになっている。著作権情報としては、楽曲ごとに付される固有の楽曲識別情報であるコンテンツＩＤ、著作権者名や著作隣接権者名（楽曲の作詞者や作曲者、あるいは版権保有者であるレコード会社等）、販売価格（楽曲を１回ダウンロードしたときに配信事業者が加入者から得る料金）、および著作権料率（著作権料が販売価格に占める割合）等がある。
【００２０】
著作権管理装置１０４は、配信される楽曲に関する著作権を管理するためのもので、特に、楽曲の利用量（具体的には、加入者による楽曲のダウンロードの回数）に見合った適正な著作権料を著作権者に支払うことを可能にするための各種の処理を行うものである。この著作権管理装置１０４の詳細な構成は後述する。
【００２１】
暗号化装置１０５は、各加入者ごとの個別情報と、後述するように、スクランブル処理により暗号化されて配信される楽曲を受信者側で復号化する際に必要となる暗号解読（デスクランブル）用の鍵（後述するワーク鍵Ｋｗ）とを暗号化する処理を行うためのものである。ここで、個別情報とは、顧客管理センタ６における後述する顧客情報データベース６ｂから供給されるもので、各加入者が加入時に配信事業者から付与される、ＩＣカード固有の識別番号であるＩＣカードＩＤ、加入者宅の受信設備４の受信装置４ｂにおいて受信した楽曲を復号化するのに用いられるワーク鍵Ｋｗの番号、および配信事業者が各加入者と結んだ受信契約の内容を表す契約情報等がある。契約情報としては、視聴契約をしたチャネルを示す契約サービスＩＤ、視聴契約をした番組を示す契約イベントＩＤ、所望の楽曲をダウンロードできるようになっているか否かを示す契約タイプ、ならびに、後述する番組購入上限額、発呼指定日時および発呼指定金額等がある。なお、上記のＩＣカードは、加入者宅の受信設備４における後述する受信機４ｂにセットされて使用されるもので、配信される楽曲をダウンロードするのに必要不可欠のものである。
【００２２】
暗号化装置１０５は、暗号鍵データベース１０５ａを備えている。この暗号鍵データベース１０５ａは、加入者の個別情報を暗号化するための暗号鍵である個別鍵Ｋｍと、番組識別情報を暗号化するための暗号鍵であるワーク鍵Ｋｗとを格納している。個別鍵Ｋｍは、加入者ごとに異なる暗号鍵であり、加入者数と同数存在する。
【００２３】
テレビ番組素材サーバ１０６は、通常の音楽放送番組等の素材を提供するサーバである。このテレビ番組素材サーバ１０６に格納されているテレビ番組素材は、動画（ビデオ）及び音声（オーディオ）からなる素材であり、例えば、新曲紹介のプロモーション用の動画付き音声や、最新のヒット曲のランキングチャート等である。
【００２４】
楽曲素材サーバ１０７は、上記した楽曲入力端末１０２から入力された楽曲を格納し、オーディオチャンネルを使用して、地上局２にオーディオ番組を提供するサーバである。このオーディオ番組の素材は音声（楽曲）のみである。この楽曲素材サーバ１０７は、複数のオーディオチャンネルのオーディオ番組の素材を地上局２へ送ることができるようになっている。後述するように、各オーディオチャンネルの番組放送では、それぞれ、同一の楽曲が所定の単位時間繰り返して放送される。各オーディオチャンネルは、それぞれ、独立しており、その利用方法としては各種のものが考えられる。例えば、ある１つのオーディオチャンネルでは最新の日本のポップスの中の推薦曲を所定時間繰り返して放送し、他のオーディオチャンネルでは最新のアメリカンポップスの中の推薦曲を所定時間繰り返して放送し、さらに他のオーディオチャンネルではジャズの中から推薦曲を所定時間繰り返して放送する等の利用方法が考えられる。また、同じアーティストの複数の楽曲をそれぞれのオーディオチャンネルに分けて繰り返して放送するようにしてもよい。ここで、配信装置１における主として楽曲素材サーバ１０７が本発明における「コンテンツ配信手段」に対応する。
【００２５】
音声付加情報サーバ１０８は、楽曲素材サーバ１０７から出力される楽曲の時間情報を提供するものである。この時間情報は、楽曲素材サーバ１０７から出力される楽曲の時間情報、具体的には、楽曲の全演奏時間および楽曲の演奏開始からの経過時間を表す情報である。
【００２６】
ＧＵＩデータサーバ１０９は、配信される楽曲のリストページや各楽曲についての情報ページ画面を形成するためのデータ、楽曲を収容しているＣＤのジャケットの静止画データを形成するためのデータ、およびＥＰＧ（Electric Program Guide）用の画面を形成するためのデータ等の楽曲付随情報を提供するものである。詳細は後述するが、本実施の形態の楽曲配信受信システムでは、加入者宅の受信設備４におけるテレビジョン受像機４ｄの画面上のＧＵＩの操作により、例えば、配信される楽曲の歌詞やアーティストのコンサート情報等を含む情報ページを画面に表示させたり、楽曲の選択、ダウンロードおよびその予約等を行うことができるようになっている。ＧＵＩデータサーバ１０９は、そのような処理に必要な楽曲付随情報を他の情報と共に地上局２に送出するようになっている。なお、このような楽曲付随情報は、例えば、ＭＨＧ（Multimedia and Hypermedia Information Coding Experts Group）方式を用いて作成されている。
【００２７】
通信Ｉ／Ｆ装置１１０は、配信装置１内の各装置を顧客管理センタ６の顧客管理コンピュータ６ａと接続するためのもので、これにより、配信装置１内の各装置と顧客管理センタ６の顧客管理コンピュータ６ａとの間で双方向の通信が可能になっている。ルータ１１３は、配信装置１内のＬＡＮ１１２と地上局２内のＬＡＮ（図示せず）とを接続するためのものである。ここで、主として通信Ｉ／Ｆ装置１１０が本発明における「受信手段」に対応する。
【００２８】
ここで、著作権管理装置１０４の構成を詳細に説明する。
【００２９】
図２は、図１における著作権管理装置１０４の構成を表すものである。この図に示したように、著作権管理装置１０４は、編成端末１０１から入力された番組編成情報のうちの番組識別情報を格納する番組識別情報データベース１０４１と、著作権情報入力端末１０３から入力された著作権情報や顧客管理センタ６からの報告を基に生成された販売履歴情報を格納する著作権情報データベース１０４２とを備えている。
【００３０】
番組識別情報データベース１０４１に格納される番組識別情報としては、サービスＩＤ、イベントＩＤ、および放送日時等があり、これらの情報が１組としてコンテンツＩＤに対応付けられて多数登録されている。ここで、番組識別情報が本発明における「受信コンテンツ特定情報」および「配信サービス識別情報」に対応し、コンテンツＩＤが本発明における「コンテンツ識別情報」に対応し、番組識別情報データベース１０４１が本発明における「配信サービス識別情報データベース」に対応する。
【００３１】
著作権情報データベース１０４２は、マスターデータベース１０４２ａと販売履歴データベース１０４２ｂとに分かれて構成されている。マスターデータベース１０４２ａに格納される著作権情報としては、著作者、販売価格、および著作権料率等があり、これらの情報が１組としてコンテンツＩＤに対応付けられて多数登録されている。販売履歴データベース１０４２ｂに格納される著作権情報としては、販売度数（ダウンロードロード回数）、販売金額、および著作権料支払額等があり、これらの情報が１組としてコンテンツＩＤに対応付けられて多数登録されている。なお、販売度数は、ユーザの年代別・性別に分けて記録されている。ここで、著作権情報データベース１０４２が本発明における「著作権情報蓄積手段」および「著作権情報データベース」に対応する。
【００３２】
著作権管理装置１０４はまた、この著作権管理装置１０４全体を制御するＣＰＵ（中央処理装置）１０４３と、ＣＰＵ１０４３が実行する基本プログラム等を格納するＲＯＭ（Read Only Memory）１０４４と、ＣＰＵ１０４３のワーク用メモリとして機能するＲＡＭ（ＲａｎｄｏｍＡｃｃｅｓｓＭｅｍｏｒｙ）１０４５と、オペレーティングシステム等の基本プログラム等を格納するハードディスク装置（ＨＤＤ）１０４６と、フロッピー（登録商標）ディスクに対するデータの読み書きを行うフロッピー（登録商標）ディスク装置１０４７と、ローカルエリアネットワーク１１２との間を接続するＬＡＮＩ／Ｆ１０４８とを備えている。ここで、主としてＣＰＵ１０４３が本発明における「著作権管理手段」に対応する。
【００３３】
さて、再び図１に戻って説明する。
【００３４】
地上局２は、デジタル衛星放送を行う機能を有するもので、配信装置１の各サーバ等から送られてくる番組素材や各種の制御情報に対して多重化および暗号化等の処理を行った上で、これらをディジタル衛星放送電波にのせて衛星３に向けて送信するようになっている。より具体的には、地上局２は、テレビ番組素材サーバ１０６からのテレビ番組素材データ（ビデオデータおよびオーディオデータ）と、楽曲素材サーバ１０７からの複数のオーディオチャネル分の楽曲素材データ（オーディオデータ）と、音声付加情報サーバ１０８からの音声付加情報と、ＧＵＩデータサーバ１０９からのＧＵＩデータと、暗号化装置１０５で暗号化された個別情報と、著作権管理装置１０４の番組識別情報データベース１０４１からの番組識別情報とを受信し、これらを圧縮したり、その一部に対して所定の暗号鍵を用いた暗号化処理を施した上で多重化して送信する。
【００３５】
ここで、地上局２から送信されるテレビ番組素材データのうちのビデオデータは、例えばＭＰＥＧ（Moving Picture Experts Group）２方式により圧縮され、テレビ番組素材データのうちのオーディオデータは、例えばＭＰＥＧ２オーディオ方式により圧縮されるようになっている。地上局２から送信される各オーディオチャンネルの楽曲素材データ（オーディオデータ）は、それぞれ、２つの異なる方式、例えばＭＰＥＧ２オーディオ方式とＡＴＲＡＣ（Adaptive Transform Acoustic Coding）方式により圧縮されるようになっている。
【００３６】
衛星３としては、例えば、複数のトランスポンダを搭載した通信衛星（ＣＳ：Communication Satellite）が用いられる。ここで、トランスポンダは、地上局２からの信号を受信して、増幅や周波数変換等の処理を行った上で地上に向けて再送信するという機能を有する中継装置であり、例えば３０Ｍｂｐｓの伝送能力を有している。
【００３７】
受信設備４は、衛星３からの電波を受信するためのパラボラアンテナ４ａと、ＩＲＤ（Integrated Receiver Decoder）と呼ばれる受信装置４ｂと、ビデオデータやオーディオデータ等を記録可能なストレージデバイス４ｃと、テレビジョン受像機４ｄとを含んでいる。パラボラアンテナ４ａには、ＬＮＢ（Low Noise Block Downconverter）と呼ばれる周波数変換器４ｅが取り付けられ、これにより、受信周波数を所定の周波数に変換して、受信装置４ｂに供給するようになっている。
【００３８】
受信装置４ｂは受信信号から所定のチャンネルの信号を選択し、ビデオデータ及びオーディオデータの復調を行うためのものである。また、受信装置４ｂは、配信される楽曲のリストページや、各楽曲の情報ページや、ＥＰＧ用の画面を形成して、テレビジョン受像機４ｄに供給するという機能も有している。受信装置４ｂは、例えば電話回線５を介して顧客管理センタ６の顧客管理コンピュータ６ａと結ばれている。受信装置４ｂには、後述するように、各種情報を記憶可能な図示しないＩＣカードが挿入される。楽曲のオーディオデータのダウンロード（ストレージデバイス４ｃへの記録）が行われると、その事実がダウンロード情報としてＩＣカードに記憶される。そして、このＩＣカードに蓄積された情報は、定期的に、電話回線５を介して顧客管理センタ６の顧客管理コンピュータ６ａに送られるようになっている。なお、ＩＣカードには、加入者ごとの個別鍵ＫｍやＩＣカードＩＤ等が記憶されて出荷されるようになっている。ここで、個別鍵Ｋｍは、ダウンロード時におけるデスクランブル（復号化）処理を行う際に用いられるものであり、ＩＣカードＩＤは課金処理を行う際に用いられるものである。なお、受信装置４ｂおよびＩＣカードの詳細な構成および動作については後述する。
【００３９】
ストレージデバイス４ｃは、ダウンロードされた楽曲のオーディオデータを保存するためのもので、例えば、ＭＤ（ミニディスク）装置、ＤＡＴ（ディジタルオーディオテープ）装置、ＤＶＤ（ディジタルビデオディスク）装置等を用いることができる。また、ストレージデバイス４ｃとして、パーソナルコンピュータに備えられたハードディスクやＣＤ−Ｒ（書き替え可能ＣＤ）を利用することも可能である。
【００４０】
本実施の形態では、ストレージデバイス４ｃとして、例えば、ＩＥＥＥ１３９４と呼ばれる通信規格に対応したＭＤ装置を用いるものとする。このＩＥＥＥ１３９４規格は、高速のデータ転送を可能とする双方向のシリアルインタフェイス規格であり、例えばパーソナルコンピュータとディジタルビデオカメラとの間のデータ通信規格としても採用されているものである。このＩＥＥＥ１３９４規格のインタフェイスによって受信装置４ｂとストレージデバイス４ｃとの間を接続することにより、受信装置４ｂで選択した楽曲のオーディオデータと共に、その楽曲が収容されて販売されているＣＤのジャケット等を表す静止画データや、歌詞データおよびアーティスト情報等のテキストデータを、受信した信号形態のままストレージデバイス４ｃに高速転送して蓄積することが可能になっている。なお、ストレージデバイス４ｃの詳細な構成については後述する。
【００４１】
以上のような構成の各加入者宅の受信設備４では、配信装置１から地上局２および衛星３を介して送られてきたディジタル衛星放送を受信することで、テレビジョン受像機４ｄによって音楽番組やそれに付随した楽曲等を視聴することができる。具体的には、テレビジョン受像機４ｄには、送られてきたＧＵＩデータに基づいて、後述する図８に示したようなＧＵＩ画面が表示され、視聴者は、このＧＵＩ画面を見ながら所定の操作を行うことで、各楽曲についての情報ページを見たり、各楽曲を試聴したり、あるいは、所望の楽曲のオーディオデータをダウンロードしてストレージデバイス４ｃに記憶することができるようになっている。
【００４２】
顧客管理センタ６は、顧客管理コンピュータ６ａと顧客情報データベース６ｂとを備えている。顧客管理コンピュータ６ａは、各加入者宅の受信装置４ｂから送られてきたダウンロード情報（購入情報）に基づいて、適切な課金処理を行い、加入者に視聴料を請求すると共に、配信装置１に対して、各楽曲ごとのダウンロード状況を報告するためのものである。顧客情報データベース６ｂは、すべての顧客についての固有の顧客情報を蓄えている。この顧客情報には、顧客ＩＤ、ＩＣカードＩＤ、住所、電話等が含まれている。ここで、ＩＣカードＩＤは、上記したように、加入者宅の受信装置４ｂに挿入されるＩＣカードに固有のＩＤである。配信装置１に対して、各楽曲ごとのダウンロード状況を報告するようにしているのは、後述するように、配信される楽曲の利用度数に見合った著作権料を著作権者に支払うことができるようにするためである。ここで、顧客管理センタ６が本発明における「顧客管理センタ」に対応する。
【００４３】
図３は図１における地上局２の構成を表すものである。この図に示したように、地上局２は、配信装置１のテレビ番組素材サーバ１０６からのテレビ番組素材データ（ビデオデータおよびオーディオデータ）の登録処理を行うテレビ番組素材登録処理部３１と、楽曲素材サーバ１０７からの楽曲素材データ（オーディオデータ）の登録処理を行う楽曲素材登録処理部３２と、音声付加情報サーバ１０８からの音声付加情報の登録処理を行う音声付加情報登録処理部３３と、ＧＵＩデータサーバ１０９からのＧＵＩデータの登録処理を行うＧＵＩ用素材登録処理部３４とを備えている。
【００４４】
地上局２は、さらに、テレビ番組素材登録処理部３１からのテレビ番組素材データを保持するＡＶ（オーディオ・ビデオ）サーバ３５と、このＡＶサーバ３５によって保持された素材データを、圧縮し、パケット化して送出するテレビ番組送出部３９とを備えている。
【００４５】
地上局２は、さらに、楽曲素材登録処理部３２からのオーディオデータをＭＰＥＧ２オーディオ方式でエンコードするＭＰＥＧオーディオエンコーダ３６Ａと、このＭＰＥＧオーディオエンコーダ３６Ａによってエンコーダされて得られるＭＰＥＧオーディオデータを保持するＭＰＥＧオーディオサーバ４０Ａと、このＭＰＥＧオーディオサーバ４０Ａによって保持されたＭＰＥＧオーディオデータを、パケット化して送出するＭＰＥＧオーディオ送出部４３Ａとを備えている。
【００４６】
地上局２は、さらに、楽曲素材登録処理部３２からのオーディオデータをＡＴＲＡＣ方式でエンコードするＡＴＲＡＣエンコーダ３６Ｂと、このＡＴＲＡＣエンコーダ３６Ｂによってエンコーダされて得られるＡＴＲＡＣデータを保持するＡＴＲＡＣオーディオサーバ４０Ｂと、このＡＴＲＡＣオーディオサーバ４０Ｂによって保持されたＡＴＲＡＣデータを、パケット化して送出するＡＴＲＡＣオーディオ送出部４３Ｂとを備えている。
【００４７】
地上局２は、さらに、音声付加情報登録処理部３３からの音声付加情報を保持する音声付加情報データベース３７と、この音声付加情報データベース３７によって保持された音声付加情報を、パケット化して送出する音声付加情報送出部４１とを備えている。
【００４８】
地上局２は、さらに、ＧＵＩ用素材登録処理部３４からのＧＵＩデータを保持するＧＵＩ素材データベース３８と、このＧＵＩ素材データベース３８によって保持されたＧＵＩデータに対してオーサリング処理を行い、パケット化して送出するＧＵＩオーサリング処理部４２とを備えている。
【００４９】
地上局２は、さらに、配信装置１の著作権管理装置１０４からの個別情報を処理するための個別情報処理部４６と、配信装置１の著作権管理装置１０４からの番組識別情報を処理するための番組識別情報処理部４７とを備えている。
【００５０】
地上局２は、さらに、各送出部３９，４３Ａ，４３Ｂ，４１、ＧＵＩオーサリング処理部４２、個別情報処理部４６および番組識別情報処理部４７からの各データおよび情報の一部に対して、所定の暗号鍵情報を用いた暗号化処理を施すと共に、これらのデータおよび情報を時間軸多重化（時分割多重化）する多重化部４４と、この多重化部４４の出力に対して所定の処理を施した後、図示しないアンテナから衛星３に向けて送信する電波送出部４５とを備えている。
【００５１】
このように構成された地上局２では、テレビ番組素材登録処理部３１からのテレビ番組素材データはＡＶサーバ３５に登録される。この素材データはビデオデータとオーディオデータである。ＡＶサーバ３５に登録された素材データは、テレビ番組送出部３９に送られ、ここでビデオデータは例えばＭＰＥＧ２方式で圧縮され、オーディオデータは例えばＭＰＥＧ２オーディオ方式により圧縮され、それぞれパケット化される。テレビ番組送出部３９の出力は、多重化部４４に送られる。
【００５２】
また、楽曲素材登録処理部３２からの楽曲素材データであるオーディオデータは、ＭＰＥＧ２オーディオエンコーダ３６ＡおよびＡＴＲＡＣエンコーダ３６Ｂに供給され、ここで各々エンコードされた後、それぞれ、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出部４３Ａに送られ、ここでパケット化された後、多重化部４４に送られる。ＡＴＲＡＣオーディオサーバ４０Ｂに登録されたＡＴＲＡＣデータは、ＡＴＲＡＣオーディオ送出部４３Ｂに４倍速ＡＴＲＡＣデータとして送られ、ここでパケット化された後、多重化部４４に送られる。
【００５３】
さらに、音声付加情報登録処理部３３からの音声付加情報は、音声付加情報データベース３７に登録される。音声付加情報データベース３７に登録された音声付加情報は、音声付加情報送出部４１に送られ、ここでパケット化された後、多重化部４４に送られる。
【００５４】
また、ＧＵＩ用素材登録処理部３４からのＧＵＩデータは、ＧＵＩ素材データベース３８に登録される。ＧＵＩ素材データベース３８に登録されたＧＵＩデータは、ＧＵＩオーサリング処理部４２に送られ、ここでＧＵＩ用の画面データが処理され、パケット化された後、多重化部４４に送られる。ここで、ＧＵＩデータには、ジャケットの静止画情報、楽曲の歌詞情報、アーティストのコンサート情報等が含まれる。ここで、静止画情報は、例えばＪＰＥＧ（Joint Photographic Experts Group）方式で圧縮された６４０×４８０ピクセルの画像データとされ、歌詞情報は例えば８００文字以内のテキストデータとされて、それぞれパケット化される。
【００５５】
また、個別情報処理部４６に入力された個別情報は、ここでパケット化されて多重化部４４に送られ、番組識別情報処理部４７に入力された番組識別情報はここでパケット化されて、多重化部４４に送られる。
【００５６】
多重化部４４では、テレビ番組送出部３９からのビデオパケットおよびオーディオパケットと、ＭＰＥＧオーディオ送出部４３Ａからのオーディオパケットと、ＡＴＲＡＣオーディオ送出部４３Ｂからの４倍速オーディオパケットと、音声付加情報送出部４１からの音声付加情報パケットと、ＧＵＩオーサリング処理部４２からのＧＵＩデータパケットと、個別情報処理部４６からの個別情報パケットと、番組識別情報処理部４７からの番組識別情報パケットとが時間軸多重化される。その際、と共に、キー情報サーバ１０（図１）からのキー情報を用いて暗号化される。その際、後述するように、ＭＰＥＧオーディオパケット、４倍速ＡＴＲＡＣオーディオパケットおよび番組識別情報パケットは、所定の暗号化鍵によって暗号化されてから多重化される。
【００５７】
多重化部４４の出力は、電波送出部４５に送られ、ここで誤り訂正符号の付加、変調および周波数変換等の処理を施された後、図示しないアンテナから衛星３に向けて送信される。
【００５８】
図４は、地上局２から送信されるデータの一例を示したものである。なお、この図に示す各データは、実際には時間軸多重化されている。図４に示したように、時刻ｔ１から時刻ｔ２の間が１つのイベントとされ、時刻ｔ２から次のイベントとされる。イベントとは、楽曲のラインナップを変える単位であって、３０分または１時間を単位とするのが普通である。例えば、最新ヒット曲のトップ２０の２０位から１１位を先のイベントで放送し、１０位から１位を後のイベントで放送すること等が考えられる。
【００５９】
図４に示したように、時刻ｔ１から時刻ｔ２のイベントでは、通常の動画の番組放送で、所定の内容Ａ１を有する音楽番組が放送されている。また、時刻ｔ２から始まるイベントでは、所定の内容Ａ２を有する音楽番組が放送されている。この通常の音楽番組で放送されているのは、動画と音声である。
【００６０】
オーディオチャンネルは、例えば、チャンルＣＨ１からＣＨ１０の１０チャンネル分用意される。このとき、各オーディオチャンネルＣＨ１、ＣＨ２、ＣＨ３、・・・ＣＨ１０では、１つのイベントの間、同一の楽曲が繰り返して送信される。すなわち、時刻ｔ１から時刻ｔ２のイベントでは、オーディオチャンネルＣＨ１では、楽曲Ｂ１が繰り返して送信され、オーディオチャンネルＣＨ２では楽曲Ｃ１が繰り返して送信され、以下、同様にオーディオチャンネルＣＨ１０では楽曲Ｋ１が繰り返して送信される。時刻ｔ２から始まるイベントでは、オーディオチャンネルＣＨ１では、楽曲Ｂ２が繰り返して送信され、オーディオチャンネルＣＨ２では楽曲Ｃ２が繰り返して送信され、以下、同様にオーディオチャンネルＣＨ１０では楽曲Ｋ２が繰り返して送信される。このような繰り返し送信処理は、他のＭＰＥＧオーディオチャンネルおよび４倍速ＡＴＲＡＣオーディオチャンネルについても同様に行われる。
【００６１】
図４において、ＭＰＥＧオーディオチャンネルと４倍速ＡＴＲＡＣオーディオチャンネルのチャンネル番号である（）内の数字が同じものは同じ楽曲に関するものである。また、音声付加情報のチャンネル番号である（）内の数字は、同じチャンネル番号を有するオーディオデータに付加されている音声付加情報である。さらに、ＧＵＩデータとして伝送される静止画データやテキストデータも各チャンネル毎に形成される。
【００６２】
なお、図４では個別情報パケットおよび番組識別情報パケットの図示を省略しているが、これらの情報パケットもまた、上記の各オーディオチャネルの場合と同様に繰り返し送信されるようになっている。
【００６３】
図５は、図４に示したような各種のデータの伝送の方法と再構築の方法を示したものである。図５（ａ）〜（ｄ）に示したように、各種のデータは、ＭＰＥＧ２のトランスポートパケットによって時分割多重化されて送信される。各トランスポートパケットは、ヘッダを有し、このヘッダ内に、パケットの種類を表す情報が記述される。受信装置４ｂ内では、各パケットのヘッダ内のパケットの種類を表す情報を用いて、図５（ｅ）〜（ｈ）に示したように、各データを再構築する。
【００６４】
次に、図１の各加入者宅の受信設備３における受信装置４ｂについて説明する。
【００６５】
図６は図１における受信装置４ｂの構成の一例を表すものである。この図に示したように、受信装置４ｂは、外部端子あるいはインタフェースとして、入力端子Ｔ１、アナログビデオ出力端子Ｔ２、アナログオーディオ出力端子Ｔ３，Ｔ４、光デジタル出力インタフェース５９、ＩＥＥＥ１３９４インタフェース６０、マンマシンインタフェース６１、ＩＣカードスロット６２およびモデム６３を備えている。また、受信装置４ｂは、制御用ＣＰＵ（中央処理装置）５８を備えている。
【００６６】
入力端子Ｔ１は、パラボラアンテナ４ａの周波数変換器４ｅ（図１）によって所定の周波数に変換された受信信号が入力される端子である。アナログビデオ出力端子Ｔ２は、アナログビデオ信号をテレビジョン受像機４ｄに供給する端子である。アナログオーディオ出力端子Ｔ３は、アナログオーディオ信号をテレビジョン受像機４ｄに供給する端子である。アナログオーディオ出力端子Ｔ４は、アナログオーディオ信号をアナログ入力のストレージデバイスに供給する端子である。光デジタル出力インタフェース５９は、ＩＥＣ９５８に準拠したものであって、ＰＣＭオーディオデータを光ファイバケーブルに送出する。ＩＥＥＥ１３９４インタフェース６０は、ビデオデータ、オーディオデータおよび各種コマンド等をＩＥＥＥ１３９４規格の信号ケーブルへ送出する。マンマシンインタフェース６１は、ユーザによるリモートコマンダ（以下、リモコンという）６４からの入力を制御用ＣＰＵ５８に送る。ＩＣカードスロット６２にはＩＣカード６５が挿入される。モデム６３は電話回線５を介して顧客管理センタ６の顧客管理コンピュータ６ａと接続される。
【００６７】
受信装置４ｂは、さらに、入力端子Ｔ１に接続されたチューナー５１と、このチューナー５１の後段に設けられたデスクランブラ５２と、このデスクランブラ５２の後段に設けられたトランスポート部５３と、このトランスポート部５３の後段に設けられたＭＰＥＧオーディオデコーダ５４およびＭＰＥＧビデオデコーダ５５と、ＭＰＥＧオーディオデコーダ５４の後段に設けられたデジタル−アナログコンバータ５６と、このデジタル−アナログコンバータ５６の後段に設けられた１入力２出力のスイッチＳＷ１と、ＭＰＥＧビデオデコーダ５５の後段に設けられたＮＴＳＣ変換部５７とを備えている。
【００６８】
ＮＴＳＣ変換部５７の出力端は、アナログビデオ出力端子Ｔ２に接続されている。スイッチＳＷ１の各出力端は、それぞれ、アナログオーディオ出力端子Ｔ３，Ｔ４に接続されている。また、ＭＰＥＧオーディオデコーダ５４は、光デジタル出力インタフェース５９にも接続されている。また、トランスポート部５３は、ＩＥＥＥ１３９４インタフェース６０にも接続されている。
【００６９】
チューナー５１は、制御用ＣＰＵ５８からの設定信号に基づいて、端子Ｔ１から供給される受信信号の中から所定の受信周波数の信号を選択し、さらに復調処理および誤り訂正処理を施してＭＰＥＧトランスポートストリームを出力するようになっている。デスクランブラ５２は、チューナー５１からＭＰＥＧトランスポートストリームを受け、ＩＣカード６５に記憶されているデスクランブル用の鍵データ（個別鍵Ｋｍ）をＩＣカードスロット６２および制御用ＣＰＵ５８を介して受け取り、この鍵データを用いてデスクランブルを行う。デスクランブラ５２はまた、受信した個別情報パケットをデスクランブルして個別情報を抽出する。ここで、個別情報には、ＩＣカードＩＤ、ワーク鍵Ｋｗの番号、受信契約の内容を表す契約情報等がある。契約情報には、視聴契約をしたチャネルを示す契約サービスＩＤ、視聴契約をした番組を示す契約イベントＩＤ、所望の楽曲をダウンロードできるようになっているか否かを示す契約タイプ、番組購入上限額、発呼指定日時および発呼指定金額等が含まれる。デスクランブラ５２は、抽出した個別情報に含まれるＩＣカードＩＤとＩＣカード６５に記録されているＩＣカードＩＤとを照合して、一致した場合に、自己宛の個別情報パケットであると判断し、この受信した個別情報を基にＩＣカード６５の内容を更新するようになっている。但し、この個別情報は、常時送られてくるものではなく、加入者が契約内容等を変更使用とする場合等にのみ送られてくるものである。デスクランブラ５２はまた、受信した番組識別情報パケットをデスクランブルして、サービスＩＤおよびイベントＩＤを抽出し、これらを購入記録データとしてＩＣカード６５に記録するようになっている。なお、このデスクランブラ５２の動作については、後述する図１３においてさらに詳細に説明する。トランスポート部５３は、ユーザがリモコン６４から入力した指令をマンマシンインタフェース６１および制御用ＣＰＵ５８を介して受け取り、トランスポートストリームの中から所望のテレビ番組のＭＰＥＧビデオデータとＭＰＥＧオーディオデータとを抽出する。ＭＰＥＧビデオデコーダ５５は、トランスポート部５３から供給されるＭＰＥＧビデオデータをデータ圧縮前のビデオデータに変換する。ＭＰＥＧオーディオデコーダ５４は、トランスポート部５３から供給されるＭＰＥＧオーディオデータをデータ圧縮前のオーディオデータ（ＰＣＭオーディオデータ）に変換する。デジタル−アナログコンバータ５６は、ＭＰＥＧオーディオデコーダ５４Ａから供給されるオーディオデータをアナログオーディオ信号に変換する。スイッチＳＷ１は、デジタル−アナログコンバータ５６から供給されるアナログオーディオ信号をアナログオーディオ出力端子Ｔ３，Ｔ４に選択的に供給する。ＮＴＳＣ変換部５７は、ＭＰＥＧビデオデコーダ５５によってデコードされたビデオデータをＮＴＳＣ方式のコンポジットビデオ信号に変換するようになっている。
【００７０】
制御用ＣＰＵ５８は、受信装置４ｂ全体の処理を行う。また、制御用ＣＰＵ５８は、受信装置４ｂに対してユーザがリモコン６４を用いて入力した指令をマンマシンインタフェース６１を介して受け取る。制御用ＣＰＵ５８には、モデム６３が接続されている。課金に必要な情報は、ＩＣカード６５の図示しない不揮発性メモリの所定の記憶領域に記憶される。このＩＣカード６５の情報は、モデム６３を用いて電話回線５を介して、顧客管理センタ６（図１）に送られるようになっている。
【００７１】
また、トランスポート部５３は、トランスポートストリームの中から、図４に示した音声付加情報とＧＵＩデータを取り込み、制御用ＣＰＵ５８に送る。制御用ＣＰＵ５８は、これらのデータに基づいて、リストページの画面や各楽曲の情報ページの画面、あるいはＥＰＧ用の画面データ等を形成する。このようにして形成された画面データは、ＭＰＥＧビデオデコーダ５５内のバッファメモリの所定のエリアに書き込まれる。これにより、図１０に示したように、画面上の指定のエリアに、放送されてくる楽曲のリストページや各楽曲の情報ページの画面、あるいはＥＰＧ用の画面を表示させることができるようになっている。
【００７２】
図７は、受信装置４ｂとストレージデバイス４ｃとの接続の態様を表すものである。図７（ａ）に示したように、受信装置４ｂは、アナログオーディオ出力端子Ａｏｕｔ（図６では端子Ｔ４）と、光ケーブルによりＰＣＭオーディオデータを送るＩＥＣ９５８規格等のデジタルオーディオ出力端子Ｄｏｕｔと、ＩＥＥＥ１３９４等のデジタルインタフェース端子Ｄｉｆとを備えているものとする。したがって、ストレージデバイス４ｃとしては、図７（ｂ）に示したように、アナログオーディオ入力端子Ａｉｎしか備えていないもの、図７（ｃ）に示したように、ＩＥＣ９５８等のＰＣＭオーディオ入力端子Ｄｉｎを備えているもの、図７（ｄ）に示したように、ＩＥＥＥ１３９４等の双方向デジタルインタフェース端子Ｄｉｆを備えているものを接続することができる。
【００７３】
図７（ｂ）に示したように、ストレージデバイスとしてアナログオーディオ入力端子Ａｉｎしか備えていないストレージデバイス４ｃＡが用いられた場合には、受信装置４ｂのアナログ出力端子Ａｏｕｔと、ストレージデバイス４ｃＡのアナログ入力端子Ａｉｎとがアナログケーブルにより接続される。
【００７４】
また、図７（ｃ）に示したように、ストレージデバイスとしてＩＥＣ９５８等のＰＣＭオーディオ入力端子Ｄｉｎを備えているストレージデバイス４ｃＢが用いられた場合には、受信装置４ｂのデジタル出力端子Ｄｏｕｔとストレージデバイス４ｃＢのデジタル入力端子Ｄｉｎとの間が例えばＩＥＣ９５８の光ファイバケーブルで接続される。
【００７５】
また、図７（ｄ）に示したように、ストレージデバイスとしてＩＥＥＥ１３９４等の双方向デジタルインタフェース端子Ｄｉｆを備えているストレージデバイス４ｃＣが用いられた場合には、受信装置４ｂのデジタルインタフェース端子Ｄｉｆとストレージデバイス４ｃＣのデジタルインタフェース端子Ｄｉｆとの間が、ＩＥＥＥ１３９４のデジタルインタフェースケーブルで接続される。
【００７６】
図７（ｂ）に示したように、ストレージデバイスとしてデジタル入力端子を有していないものを用いた場合には、ダウンロードされたＭＰＥＧオーディオデータは、受信装置４ｂ内でＭＰＥＧ２のデコード処理が施され、さらにデジタル−アナログ変換されて、アナログのオーディオ出力端子Ａｏｕｔから出力される。そして、受信装置４ｂからアナログケーブルを介してストレージデバイス４ｃＡに送られる。なお、この場合、受信装置４ｂとストレージデバイス４ｃＡとの間で、赤外線等の無線通信やケーブルによる有線通信を用いて制御信号のやり取りを行い、接続関係の確認やダウンロード動作の確認を行うように構成することも可能である。
【００７７】
図７（ｃ）に示したように、ストレージデバイスとしてＰＣＭオーディオ入力端子Ｄｉｎを備えているストレージデバイス４ｃＢが用いられた場合には、ダウンロードされたＭＰＥＧオーディオデータは、受信装置４ｂ内でＭＰＥＧ２のデコード処理が施され、受信装置４ｂからＰＣＭオーディオデータで出力される。そして、受信装置４ｂから、例えばＩＥＣ９５８の光ケーブルケーブルを介してストレージデバイス４ｃＢに送られる。この場合も、受信装置４ｂとストレージデバイス４ｃＡとの間に、赤外線等の無線通信やケーブルによる有線通信を用いて制御信号のやり取りを行い、接続関係の確認やダウンロード動作の確認を行うように構成することも可能である。
【００７８】
図７（ｄ）に示したように、ストレージデバイス４ｃＣとしてＩＥＥＥ１３９４等の双方向デジタルインタフェース端子Ｄｉｆを備えているＭＤ装置が用いられた場合には、ダウンロードされた４倍速ＡＴＲＡＣデータは、そのまま受信装置４ｂから、ＩＥＥＥ１３９４バス１６Ｃを介してストレージデバイス４ｃＣに送られる。また、ストレージデバイス４ｃＣとしてのＭＤ装置は、受信装置４ｂで選択された楽曲のオーディオデータと共に、そのジャケットデータや歌詞データ等のテキストデータを蓄積することができる。
【００７９】
このように、ストレージデバイス４ｃとして使用される機器としては、アナログ入力のもの、ＰＣＭオーディオデータを入力するもの、ＡＴＲＡＣのデータを入力するのものの３系統のものがあり得る。
【００８０】
図８は図１におけるストレージデバイス４ｃとしてのＩＥＥＥ１３９４規格のＭＤ装置の構成の一例を表すものである。この図に示したように、ストレージデバイス４ｃは、ＩＥＥＥ１３９４インタフェース７１と、光デジタル入力インタフェース７２と、アナログオーディオ入力端子Ｔ１２と、アナログオーディオ出力端子Ｔ１３とを備えている。ＩＥＥＥ１３９４インタフェース７１は、記録再生部７５と直接的に接続されると共に、ＡＴＲＡＣエンコーダ７４を介して記録再生部７５に接続されている。光デジタル入力インタフェース７２は、ＡＴＲＡＣエンコーダ７４を介して記録再生部７５に接続されている。アナログオーディオ入力端子Ｔ１２は、アナログ−デジタルコンバータ（ＡＤＣ）７３を介してＡＴＲＡＣエンコーダ７４に接続されている。アナログオーディオ出力端子Ｔ１３は、デジタル−アナログコンバータ（ＤＡＣ）７８とＡＴＲＡＣデコーダ７７を介して記録再生部７５に接続されている。記録再生部７５には、ディスク７６がセットされるようになっている。記録再生部７５は、このディスク７６に対して記録再生を行う。なお、ここでは図示を省略したが、このＩＥＥＥ１３９４規格のＭＤ装置には、全体の制御等を行う制御用ＣＰＵと、マンマシンインタフェースが設けられている。次に、以上のような構成の楽曲配信受信システムの動作を説明する。
【００８１】
まず、図７に示した受信装置４ｂの動作について説明する。
【００８２】
図７に示した受信装置４ｂにおいて、これまで説明した楽曲配信受信システムのチャンネルをユーザが選択すると、テレビジョン受像機４ｄの画面上に図１０に示したようなＧＵＩ画面が表示される。
【００８３】
このとき、端子Ｔ１に入力された受信信号は、チューナー５１に供給される。チューナー５１では、制御用ＣＰＵ５８からの設定信号に基づいて受信信号の中から所定受信周波数の信号が選択され、さらに復調と誤り訂正処理が施されてＭＰＥＧトランスポートストリームが出力される。
【００８４】
チューナー５１の出力はデスクランブラ５２に供給される。デスクランブラ５２では、ＩＣカード６５に記憶されているデスクランブル用の鍵データ（個別鍵Ｋｍ）がＩＣカードスロット６２と制御用ＣＰＵ５８を介して入力され、この鍵データを用いてＭＰＥＧトランスポートストリームのデスクランブルが行われる。デスクランブルされたＭＰＥＧトランスポートストリームはトランスポート部５３に送られる。
【００８５】
トランスポート部５３には、ユーザがリモコン６４から入力した指令が、マンマシンインタフェース６１と制御用ＣＰＵ５８とを介して入力される。トランスポート部５３は、その指令に従って、トランスポートストリームの中から所望のテレビ番組のＭＰＥＧビデオデータおよびＭＰＥＧオーディオデータを抽出し、それぞれＭＰＥＧビデオデコーダ５５とＭＰＥＧオーディオデコーダ５４に送る。
【００８６】
ＭＰＥＧビデオデコーダ５５に送られたＭＰＥＧビデオデータは、ここでデータ圧縮前のビデオデータに変換され、次にＮＴＳＣ変換部５７でコンポジットビデオ信号に変換された後、アナログビデオ出力端子Ｔ２からテレビジョン受像機４ｄへ出力される。ＭＰＥＧオーディオデコーダ５４に送られたＭＰＥＧオーディオデータは、ここでデータ圧縮前のオーディオデータに変換され、次にデジタル−アナログコンバータ５６でアナログオーディオ信号に変換された後、アナログオーディオ出力端子Ｔ３からテレビジョン受像機４ｄへ出力される。
【００８７】
図１０に示したＧＵＩ画面上の楽曲のリスト２１Ｂにより楽曲が選択され、その楽曲のオーディオデータを試聴する場合には、トランスポート部５３においてＭＰＥＧオーディオデータが抽出され、このＭＰＥＧオーディオデータがオーディオデコーダ５４でデコードされ、デジタル−アナログコンバータ５６でデジタル−アナログ変換された後、スイッチＳＷ１を通ってアナログオーディオ出力端子Ｔ３からテレビジョン受像機４ｄへ出力される。
【００８８】
また、図１０に示したＧＵＩ画面上でダウンロードボタン２８が押され、オーディオデータをダウンロードする際には、トランスポート部５３においてオーディオデータが抽出され、アテログオーディオ出力端子Ｔ４、光デジタル出力インタフェース５９、またはＩＥＥＥ１３９４インタフェース６０のいずれか１つからオーディオデータが出力される。
【００８９】
ここで、図７（ｄ）に示したように、ストレージデバイス４ｃが、受信装置４ｂのＩＥＥＥ１３９４インタフェース６０（図７（ｄ）ではデジタルインタフェース端子Ｄｉｆに相当）に接続された、ＩＥＥＥ１３９４規格のＭＤ装置等のストレージデバイス４ｃＣである場合には、トランスポート部５３において４倍速ＡＴＲＡＣデータが抽出され、ＩＥＥＥ１３９４インタフェース６０を介して、ストレージデバイス４ｃに送出される。また、このとき、トランスポート部５３においてＪＰＥＧ方式で圧縮されているジャケットデータが抽出され、ＩＥＥＥ１３９４インタフェース６０（デジタルインタフェース端子Ｄｉｆ）を介してストレージデバイス４ｃに送出される。さらに、このとき、トランスポート部５３において歌詞やアーティストのプロフィール等のテキストデータが抽出され、ＩＥＥＥ１３９４インタフェース６０を介して、ストレージデバイス４ｃに送出される。
【００９０】
また、図７（ｃ）に示したように、ストレージデバイス４ｃが、受信装置４ｂの光デジタル出力インタフェース５９（図７（ｃ）ではデジタル出力端子Ｄｏｕｔに相当）に接続された、ＩＥＥＥ１３９４インタフェースを備えていないストレージデバイス４ｃＢである場合には、トランスポート部５３においてＭＰＥＧオーディオデータが抽出され、ＭＰＥＧオーディオデコーダ５４でデコードされた後、光デジタル出力インタフェース５９（デジタル出力端子Ｄｏｕｔ）を介してＰＣＭオーディオデータがストレージデバイス４ｃＢに送出される。
【００９１】
また、図７（ｂ）に示したように、ストレージデバイス４ｃが、受信装置４ｂのアナログオーディオ出力端子Ｔ４（オーディオ出力端子Ａｏｕｔ）に接続された、アナログオーディオのみ入力できるストレージデバイス４ｃＡである場合には、トランスポート部５３においてＭＰＥＧオーディオデータが抽出され、ＭＰＥＧオーディオデコーダ５４でデコードされ、さらにデジタル−アナログコンバータ５６でデジタル−アナログ変換された後、スイッチＳＷ１を通ってアナログオーディオ出力端子Ｔ４（オーディオ出力端子Ａｏｕｔ）から、ストレージデバイス４ｃＡに送出される。
【００９２】
次に、図８のストレージデバイス４ｃにおける記録動作を説明する。ここでは、ストレージデバイス４ｃがＩＥＥＥ１３９４規格のＭＤ装置等のストレージデバイス４ｃＣであるものとして説明する。
【００９３】
ストレージデバイス４ｃのＩＥＥＥ１３９４インタフェース７１と図７に示した受信装置４ｂのＩＥＥＥ１３９４インタフェース６０とが接続されている場合には、ＩＥＥＥ１３９４インタフェース６０から送出された楽曲のオーディオデータ、歌詞等のテキストデータや、ジャケット等の静止画データは、ＩＥＥＥ１３９４インタフェース７１から入力され、そのまま記録再生部７５によってディスク７６に記録される。後で説明するように、このとき、ディスク７６上には拡張ＭＤフォーマットにより、各データが記録される。
【００９４】
光デジタル入力インタフェース７２に外部からＰＣＭオーディオデータが入力される場合には、入力されたＰＣＭオーディオデータはＡＴＲＡＣエンコーダ７４でエンコードされた後、記録再生部７５によってディスク７６に記録される。
【００９５】
アナログオーディオ入力端子Ｔ１２に外部からアナログオーディオ信号が入力される場合には、入力されたアナログオーディオ信号はアナログ−デジタルコンバータ７３でアナログ−デジタル変換され、ＡＴＲＡＣエンコーダ７４でエンコードされた後、記録再生部７５によってディスク７６に記録される。
【００９６】
つまり、このストレージデバイス４ｃでは、受信装置４ｂとの間がＩＥＥＥ１３９４バスで接続されている場合のみ、楽曲のオーディオデータと共にその歌詞データやジャケットの静止画データ等が記録され、光デジタルインタフェースでの接続またはアナログオーディオ入力の場合には、オーディオデータのみが記録される。
【００９７】
また、このストレージデバイス４ｃでは、再生時には、ＩＥＥＥ１３９４インタフェース７１またはアナログオーディオ出力端子Ｔ１３から再生信号を出力することができる。そして、ディスク７６に楽曲のオーディオデータと共にその歌詞データやジャケットデータ等が記録されている場合において、ＩＥＥＥ１３９４インタフェース７１から再生信号を出力するときには、楽曲データをＩＥＥＥ１３９４対応のオーディオ機器（アンプ等）に出力することが可能であると共に、歌詞データやジャケットデータ等をＩＥＥＥ１３９４対応のディスプレイで表示したり、ＩＥＥＥ１３９４対応のプリンタで印刷したりすることが可能である。
【００９８】
このように、本実施の形態のストレージデバイス４ｃでは、楽曲のオーディオデータと共にその歌詞データやジャケットデータ等の記録再生が可能である。
【００９９】
図９は、楽曲のオーディオデータと共にその歌詞データやジャケットデータ等の記録再生を可能とする拡張ＭＤフォーマットを示したものである。この図に示したように、楽曲のオーディオデータは、ＡＴＲＡＣ方式でメインデータ（Main Data）エリアに記録される。これは現行のＭＤフォーマットと同じである。そして、拡張ＭＤフォーマットでは、さらに２．８Ｍｂｙｔｅの補助データ（Aux Data）エリアに、前述したジャケットデータや歌詞データ等を記録する。このような拡張ＭＤフォーマットを使用することにより、楽曲のオーディオデータと共にジャケットデータや歌詞データ等を記録再生することが可能となる。また、現行のＭＤフォーマットとの互換性を維持することができる。
【０１００】
次に、図１０を参照して、受信設備３における視聴者の操作について、詳細に説明する。
【０１０１】
各加入者宅の受信設備３で、前述の音楽番組放送を受信すると、テレビジョン受像機４ｄに、図１０に示したようなＧＵＩ画面が表示される。この画面の左上部のテレビ番組表示エリア２１Ａには、配信装置１のテレビ番組素材サーバ１０６（図１）から提供された音楽番組に基づく動画像が表示される。画面の右上部には、配信装置１の楽曲素材サーバ１０７（図１）から提供されてオーディオチャンネルで放送されている各チャンネルの楽曲のリスト２１Ｂが表示される。また、画面の左下には、配信装置１のＧＵＩデータサーバ１０９から提供された楽曲付随情報を表示するためのテキスト表示エリア２１Ｃおよびジャケット表示エリア２１Ｄが設定される。さらに、画面の右側には、歌詞表示ボタン２２、プロフィール表示ボタン２３、情報表示ボタン２４、予約録音ボタン２５、予約済一覧表示ボタン２６、録音履歴表示ボタン２７およびダウンロードボタン２８が表示される。
【０１０２】
視聴者は、リスト２１Ｂに表示されている楽曲名を見ながら、興味のある楽曲を探していく。そして、興味のある楽曲を見つけたら、リモートコマンダの矢印キーを操作してその楽曲にカーソルを合わせた後、受信装置４ｂに付属するリモートコマンダのエンターキーを押す。これによって、カーソルを合わせた楽曲を試聴することができる。すなわち、各オーディオチャンネルでは、所定の単位時間中、同一の楽曲が繰り返し放送されているので、テレビ番組表示エリア２１Ａの画面はそのままで、その楽曲のオーディオチャンネルに切り換えられ、その楽曲を聞くことができる。このとき、ジャケット表示エリア２１Ｄには、その楽曲のＣＤジャケットの静止画像が表示される。
【０１０３】
この状態で歌詞表示ボタン２２にカーソルを合わせ、エンターキーを押す（以下、ボタンにカーソルを合わせ、エンターキーを押す操作をボタンを押すという）と、テキスト表示エリア２１Ｃに、楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このように、視聴者は、現在どのような楽曲が配信されているのかを知ることができ、各楽曲についての詳細な情報を知ることができる。
【０１０４】
視聴者は、試聴した楽曲を購入したい場合には、ダウンロードボタン２８を押す。ダウンロードボタン２８が押されると、選択された楽曲のオーディオデータがダウンロードされ、ストレージデバイス４ｃに記憶される。楽曲のオーディオデータと共に、その歌詞データ、アーティストのプロフィール情報、ジャケットの静止画データ等をダウンロードすることもできる。楽曲がダウンロードされる毎に、そのダウンロードに係る購入記録（具体的には、サービスＩＤおよびイベントＩＤ）が受信装置４ｂ内のＩＣカード６５に記憶される。ＩＣカード６５に記憶された情報は、定期的に（例えば１カ月に１度ずつ）顧客管理センタ６にアップロードされる。これにより、ダウンロードされた楽曲に対する著作権料の支払いを適正に行うことが可能となる。なお、この楽曲のダウンロードおよびアップロード処理については、さらに後述する。
【０１０５】
また、視聴者は、予めダウンロードの予約を行いたい場合には、予約録音ボタン２５を押す。このボタン２５を押すと、ＧＵＩ画面が切り換わり、予約が可能な楽曲のリストが画面全体に表示される。このリストは、１時間単位、１週間単位、ジャンル単位等で検索した楽曲を表示することが可能である。視聴者は、このリストの中からダウンロードの予約を行いたい楽曲を選択すると、その情報が受信装置４ｂ内に登録される。また、既にダウンロードの予約を行った楽曲を確認したい場合には、予約済一覧表示ボタン２６を押すことにより、予約済の楽曲のリストを画面全体に表示させることができる。このようにして予約された楽曲は、予約時刻になるとダウンロードされ、ストレージデバイス４ｃに記録される。
【０１０６】
また、視聴者は、ダウンロードを行った楽曲について確認したい場合には、録音履歴ボタン２７を押すことにより、既にダウンロードを行った楽曲のリストを画面全体に表示させることができる。
【０１０７】
このように、受信設備３では、テレビジョン受像機１４のＧＵＩ画面上に楽曲のリストが表示される。そして、視聴者は、このＧＵＩ画面上の表示に従って楽曲を選択すると、その楽曲を試聴することができ、さらに、その楽曲の歌詞やアーティストのプロフィール等を知ることができる。視聴者は、さらに、ＧＵＩ画面を用いて、楽曲のダウンロードとその予約、ダウンロードの履歴や予約済楽曲リストの表示等を行うこともできる。
【０１０８】
次に、受信設備４において、視聴者がオーディオチャネルの楽曲を購入する際の処理、すなわち、楽曲のダウンロードを行う場合の処理についてさらに詳細に説明する。この場合、オーディオチャネルの楽曲のダウンロードに対する課金は、上記したＩＰＰＶ方式によって行われる。
【０１０９】
テレビジョン受像機４ｄに表示されている楽曲メニューの中から楽曲が選択されてダウンロードボタン２８が押されると、受信装置４ｂの制御用ＣＰＵ５８は、ＩＣカード６５内の図示しない不揮発性メモリに記録されている契約タイプをチェックして、ＩＰＰＶ番組（ここでは、楽曲）を購入可能とする契約が結ばれているか否かを判別する。この契約が結ばれていないと判断したときには、制御用ＣＰＵ５８（図６）は、楽曲のダウンロードを禁止する。
【０１１０】
一方、契約タイプのチェックの結果、ＩＰＰＶ番組を購入可能とする契約が結ばれていると判断した場合、制御用ＣＰＵ５８は、その時点までの視聴合計金額（購入額合計）が不揮発性メモリに記録されている番組購入上限額に達しているか否かを判断する。この結果、視聴合計金額が番組購入上限額を超える場合には、制御用ＣＰＵ５８は、楽曲のダウンロードを禁止する。ここで、番組購入上限額は、個別情報の一部として顧客管理センタ６から配信装置１を経由して送られ、ＩＣカード６５の不揮発性メモリに記録されているものである。
【０１１１】
視聴合計金額が番組購入上限額未満である場合には、制御用ＣＰＵ５８は、受信した番組識別情報の一部としてのサービスＩＤおよびイベントＩＤを、視聴履歴データとして、ＩＣカード６５内の不揮発性メモリに書き込む。そして、制御用ＣＰＵ５８は、受信した番組識別情報からＰＰＶ料金データを取り出して、不揮発性メモリ内の視聴合計金額と加算し、この加算結果を新たな視聴合計金額として不揮発性メモリに書き込む。この後、上述したデスクランブル処理が行われて、指定された楽曲のダウンロードが行われる。
【０１１２】
次にＩＣカード６５内の視聴履歴（購入記録）データを顧客管理センタ６にアップロードする処理について説明する。
【０１１３】
ＩＣカード６５内の視聴履歴データを顧客管理センタ６に電話回線５を介してアップロードする処理は、以下の３つの条件のうちのいずれか１つが満たされた場合に行われる。
【０１１４】
（条件１）ＩＣカード６５の不揮発性メモリにおける視聴履歴記憶領域の空き容量が所定値以下になった場合
【０１１５】
（条件２）ＩＣカード６５の不揮発性メモリに予め記録されている発呼指定日時が到来した場合
【０１１６】
（条件３）視聴合計金額がＩＣカード６５の不揮発性メモリに予め記録されている発呼指定金額を超えた場合
【０１１７】
ここで、（条件２）および（条件３）を設けているのは、加入者が受信装置４ｂを電話回線５に接続を切断することによって楽曲のダウンロードを無制限に行うことを不可能にするためである。なお、上記したように、発呼指定日時および発呼指定金額は、受信した個別情報の一部として含まれているものであり、個別情報から抽出されてＩＣカード６５の不揮発性メモリに記録されたものである。
【０１１８】
上記の条件のうちのいずれか１つが満たされた場合には、制御用ＣＰＵ５８は、顧客管理センタ６に対する視聴履歴データのアップロード処理を開始する。そして、アップロード処理が正常に完了すると、ＩＣカード６５内の視聴合計金額をリセットして０にする。
【０１１９】
次に、本実施の形態の楽曲配信受信システムにおける特徴的な動作および作用について説明する。
【０１２０】
まず、図１１および図１２を参照して、このシステムにおいて配信される楽曲についての著作権管理を中心とした概略の処理の流れを説明する。
【０１２１】
著作件者Ｃは、配信事業者に対して、ＩＰＰＶ方式の課金対象である楽曲と、その楽曲についての著作権情報とを提供する（図１１ステップＳ１０１）。楽曲は、例えばＣＤの形態で提供される。配信事業者は、著作権者Ｃから提供された楽曲を、配信装置１の楽曲入力端末１０２から入力し、配信装置１内の楽曲素材サーバ１０７に保存する（ステップＳ１０２）。配信事業者はまた、著作権者Ｃから提供された著作権情報を、配信装置１の著作権情報入力端末１０３から入力し、配信装置１内の著作権情報データベース１０４２に保存する（ステップＳ１０３）。この著作権情報データベース１０４２に格納される著作権情報には、楽曲のコンテンツＩＤ、著作者（楽曲の作曲者、作詞者等）、楽曲の販売価格、および著作権料率が含まれる。
【０１２２】
配信事業者は、ＴＶ番組、楽曲、およびこれらを放送する日時等を決定し、それらの情報を番組編成情報として番組編成端末１０１から入力する。入力された番組編成情報は番組編成サーバ１１１に保存される（ステップＳ１０４）。既に述べたように、番組編成情報には、ＴＶ番組のタイトル、番組固有の識別情報であるイベントＩＤ、放送日時、ＴＶ番組と並行して配信する複数の楽曲のタイトル、各楽曲のコンテンツＩＤ、これらの各楽曲のサブチャネル（オーディオチャネル）割り当てを示すサービスＩＤ、および各楽曲に付随する楽曲付随情報等がある。楽曲付随情報としては、楽曲を演奏している（または歌っている）アーティスト、作詞者、作曲者、その楽曲が収録されているＣＤのジャケットの画像やそのＣＤのリリース日、およびそのアーティストに関連したコンサート情報等がある。これらの番組編成情報のうち、サービスＩＤ、イベントＩＤおよび放送日時は、コンテンツＩＤと対応付けられて、番組識別情報として著作権管理装置１０４の番組識別情報データベース１０４１にも格納される（ステップＳ１０５）。
【０１２３】
定められた放送日時になると、テレビ番組素材サーバ１０６、楽曲素材サーバ１０７、音声付加情報サーバ１０８およびＧＵＩデータサーバ１０９から、それぞれ、テレビ番組データ、楽曲データ、音声付加情報およびＧＵＩデータが読み出され、地上局２に送られる。また、番組識別情報データベース１０４１から番組識別情報が読み出されて地上局２に送られる（ステップＳ１０６）。また、顧客管理センタ６からは、加入者ごとの個別情報が配信装置１の暗号化装置１０５に送られる（ステップＳ１０７）。個別情報は、暗号化装置１０５において、暗号鍵データベース１０５ａに格納された暗号鍵によって暗号化され、地上局２に送られる（ステップＳ１０８）。地上局２は、配信装置１から送られてきたテレビ番組データ、楽曲データ、音声付加情報、ＧＵＩデータ、番組識別情報および個別情報を時分割多重化して衛星３に向けて送信する（ステップＳ１０９）。このとき、楽曲データおよび番組識別情報は、暗号化されてから多重化される。
【０１２４】
地上局２から衛星３を介して送られてきたテレビ番組データおよび楽曲データは、加入者宅の受信設備４で受信され、テレビジョン受像機４ｄによって再生される（図１２ステップＳ１１０）。但し、楽曲データは暗号化されているため、視聴者は購入操作をしない限り楽曲データを復号化できない。
【０１２５】
視聴者が楽曲を購入するための操作をすると（ステップＳ１１１；Ｙ）、受信装置４ｂにセットされているＩＣカード６５から暗号を解く鍵（個別鍵Ｋｍ）が得られ、楽曲データを復号化することができる（ステップＳ１１２）。復号化された楽曲データは、ストレージデバイス４ｃに記録される（ステップＳ１１３）。このとき、ダウンロードした楽曲のサービスＩＤおよびイベントＩＤが、購入記録（視聴記録）として、ＩＣカード６５に記録される（ステップＳ１１４）。この購入記録は、外部から消去できないようになっている。
【０１２６】
ＩＣカード６５に記録された購入記録は、定期報告時期が到来すると（ステップＳ１１５；Ｙ）、そのＩＣカード６５のＩＣカードＩＤと共に、電話回線５を経由して顧客管理センタ６の顧客管理コンピュータ６ａに送られる（ステップＳ１１６）。定期報告時期は、例えば１か月ごととされる。
【０１２７】
顧客管理センタ６の顧客管理コンピュータ６ａは、各加入者から送られてきた購入記録およびＩＣカードＩＤに基づき、顧客情報データベース６ｂを参照して、課金処理を行う。具体的には、視聴料金（ダウンロード料）を計算し、加入者に対して請求書を発行する（ステップＳ１１７）。この視聴料金の計算は、顧客情報データベース６ｂに格納されている加入者ごとのＩＣカードＩＤおよび番組情報（サービスＩＤ、イベントＩＤ、放送日時および販売価格）を用いて行う。なお、これらの番組情報は、配信装置１における著作権管理装置１０４から予め送られてきているものである。
【０１２８】
顧客管理センタ６の顧客管理コンピュータ６ａは、加入者に請求した視聴料金と同一額の販売額データを配信装置１の著作権管理装置１０４に送ると共に、上記の購入記録（サービスＩＤおよびイベントＩＤ）および顧客情報を著作権管理装置１０４に送信する（ステップＳ１１８）。この顧客情報には、顧客ＩＤ、ＩＣカードＩＤ、住所、電話等が含まれている。なお、この顧客情報の送信は、プライバシー保護のために省略するようにしてもよい。
【０１２９】
著作権管理装置１０４は、顧客管理センタ６から送られてきたデータを集計し、その集計結果に基づいて、どの著作者に著作権料をいくら支払えばよいかを決定する（ステップＳ１１９）。具体的には、著作権管理装置１０４のＣＰＵ１０４３（図２）は、顧客管理センタ６から送られてきたサービスＩＤおよびイベントＩＤを基に、番組識別情報データベース１０４１（図２）を検索して、対応するコンテンツＩＤを取得する。次に、ＣＰＵ１０４３は、取得したコンテンツＩＤを基に、著作権情報データベース１０４２のマスターデータベース１０４２ａを検索して、著作権者、著作権料率を取得する。そして、ＣＰＵ１０４３は、および著作権料率から著作権料を算出し、これを著作権情報データベース１０４２の販売履歴データベース１０４２ｂにおける対応するコンテンツＩＤについての著作権料支払額として累算する。ＣＰＵ１０４３はまた、顧客管理センタ６から受け取った顧客情報を、著作権情報データベース１０４２の販売履歴データベース１０４２ｂにおける対応するコンテンツＩＤについての販売記録として記録すると共に、顧客管理センタ６から受け取った販売額データを販売金額累計に累算する。なお、販売記録は、例えば、加入者の年代別および性別ごとの販売度数として記録される。
【０１３０】
配信装置１を運営する配信事業者は、著作権管理装置１０４によって算出され、販売履歴データベース１０４２ｂに蓄積された著作権料支払額に相当する著作権料を著作権者に支払う（ステップＳ１２０）。配信事業者はまた、顧客管理センタ６から取得した顧客情報を集計して得られた販売記録を基に、視聴者層等についての市場調査をすることも可能である。
【０１３１】
次に、図１３を参照して、楽曲配信受信システムにおける配信情報の暗号化および復号化に係る処理の流れについて説明する。なお、図１３は、図１に示した楽曲配信受信システムにおける配信情報のうちの楽曲、個別情報および番組識別情報の暗号化および復号化処理に係る主要部のみを図示したもので、この暗号化および復号化処理に直接関係しない要素は図示を省略している。
【０１３２】
顧客管理センタ６の顧客管理コンピュータ６ａは顧客情報データベース６ｂに格納されている個別情報を配信装置１の暗号化装置１０５に供給する。暗号化装置１０５に入力された個別情報は、暗号鍵データベース１０５ａから取り出されたワーク鍵Ｋｗと共に暗号化器１０５ｂに入力される。暗号化器１０５ｂは、暗号鍵データベース１０５ａから取り出した個別鍵Ｋｍを用いて、個別情報およびワーク鍵Ｋｗを暗号化する。そして、暗号化器１０５ｂは、それぞれ暗号化した個別情報およびワーク鍵Ｋｗを地上局２の多重化部（ＭＵＸ）４４に供給する。このとき、暗号鍵データベース１０５ａから取り出されたワーク鍵Ｋｗは、上記の流れと別に、暗号化されずにそのまま、上記の暗号化された個別情報およびワーク鍵Ｋｗと共に、多重化部（ＭＵＸ）４４に送られる。
【０１３３】
地上局２の多重化部４４における個別情報処理部４４ａは、配信装置１の暗号化装置１０５から供給された暗号化された個別情報およびワーク鍵Ｋｗに対して、これらを繰り返し送出できるようにするための処理を施して多重化器４４ｆに入力する。個別情報処理部４４ａはまた、暗号化装置１０５から暗号化されずに送られてきたワーク鍵Ｋｗを抽出して、後述する暗号化器４４ｄに供給する。
【０１３４】
地上局２の多重化部４４には、図３に示した同じ地上局２内のＭＰＥＧオーディオ送出部４３ＡおよびＡＴＲＡＣオーディオ送出部４３Ｂから、それぞれ、圧縮されたＭＰＥＧオーディオデータおよびＡＴＲＡＣオーディオデータが入力される。多重化部４４にはまた、配信装置１の著作権管理装置１０４における番組識別情報データベース１０４１からの番組識別情報も供給される。なお、多重化部４４には、図３に示したＴＶ番組送出部３９からのＭＰＥＧビデオデータおよびＭＰＥＧオーディオデータ、音声付加情報送出部４１からの音声付加情報、ならびにオーサリング部４２からのＧＵＩデータもまた入力されるが、図１３では図示を省略している。
【０１３５】
多重化部４４内の番組識別情報処理部４４ｃは、配信装置１の著作権管理装置１０４における番組識別情報データベース１０４１から送られてきた番組識別情報およびスクランブル鍵発生器４２ｂで生成されたスクランブル鍵Ｋｓに対して、これらのデータを繰り返し送出できるようにするための処理を施し、暗号化器４４ｄに供給する。暗号化器４４ｄは、番組識別情報処理部４４ｃから出力された番組識別情報およびスクランブル鍵Ｋｓに対して、それぞれ、個別情報処理部４４ａから供給されるワーク鍵Ｋｗを用いて暗号化処理を施し、多重化器４４ｆに入力する。
【０１３６】
一方、暗号化器４４ｅは、上記の圧縮されたＭＰＥＧオーディオデータおよびＡＴＲＡＣオーディオデータに対して、それぞれ、スクランブル鍵発生器４４ｂから供給されるスクランブル鍵Ｋｓを用いてスクランブル処理を施し、多重化器４４ｆに入力する。
【０１３７】
多重化器４４ｆは、個別情報処理部４４ａからの暗号化された個別情報およびワーク鍵Ｋｗと、暗号化器４４ｄからの暗号化された番組識別情報およびスクランブル鍵Ｋｓと、暗号化器４４ｅからの暗号化されたＭＰＥＧオーディオデータおよびＡＴＲＡＣオーディオデータと、図示しないＴＶ番組ＭＰＥＧビデオ・オーディオデータ、音声付加情報およびＧＵＩデータとを、時分割多重化して１つのデータストリームとなし、電波送出部４５から送出する。
【０１３８】
地上局２の電波送出部４５から衛星３を介して伝送されてきたデータストリームは、加入者宅の受信設備４で受信され、受信装置４ｂのチューナ５１を介して、分離器（デマルチプレクサ）５２ａによって各データに分離され、制御用ＣＰＵ５８によって各部に供給される。
【０１３９】
具体的には、分離されたデータのうち、暗号化された個別情報およびワーク鍵Ｋｗは、ＩＣカード６５内の復号化器６５ａに入力され、ここで、不揮発性メモリ６５ｃから取り出された個別鍵Ｋｍを用いて復号化されて、ワーク鍵Ｋｗが取り出される。
【０１４０】
また、分離されたデータのうち、暗号化された番組識別情報およびスクランブル鍵Ｋｓは、ＩＣカード６５内の復号化器６５ｂに入力され、ここで、復号化器６５ａから出力されたワーク鍵Ｋｗを用いて復号化されて、スクランブル鍵Ｋｓが取り出される。
【０１４１】
また、分離されたデータのうち、暗号化されたＭＰＥＧオーディオデータおよびＡＴＲＡＣオーディオデータは、復号化器５２ｂに入力され、ここで、復号化器６５ｂから出力されたスクランブル鍵Ｋｓを用いて復号化されて、図３にも図示したトランスポート部５３へと出力される。その後の処理は上記した通りであるので説明を省略する。
【０１４２】
受信装置４ｂで受信したデータのうち、暗号化された個別情報は復号化器６５ａで復号化され、暗号化された番組識別情報は復号化器６５ｂで復号化される。そして、これらの復号化された個別情報および番組識別情報は不揮発性メモリ６５ｃの所定の記憶領域に格納される。また、ＩＣカード６５の不揮発性メモリ６５ｃに記録された番組識別情報のうち、サービスＩＤおよびイベントＩＤは、購入記録として顧客管理センタ６の顧客管理コンピュータ６ａに定期的に送られる。
【０１４３】
以上のように、本実施の形態の楽曲配信受信システムでは、音楽放送番組が配信されると共に、複数のオーディオチャンネルを使用して楽曲のオーディオデータが配信される。そして、加入者は、配信されている楽曲のリスト等を使用して所望の楽曲を探し、そのオーディオデータをストレージデバイス４ｃに簡単に保存することができる。
【０１４４】
また、本実施の形態の楽曲配信受信システムでは、購入を楽曲単位で行うペイ・パー・ビュー方式で課金を行うようにすると共に、楽曲購入の際、ＩＣカードに購入記録を蓄積し、この蓄積された購入記録を顧客管理センタ６に送出するようにしたので、配信事業者は、どの曲を誰が購入したのかを正確に把握することができ、正確な課金が可能である。
【０１４５】
さらに、本実施の形態の楽曲配信受信システムでは、配信装置１内に著作権管理装置１０４を配設し、この著作権管理装置１０４が顧客管理センタ６から楽曲の購入記録を取得して、著作権料の算出等を行うようにしたので、著作権者に対する著作権料の支払いを適正に行うことができる。さらに、顧客管理センタ６から著作権管理装置１０４に対して、楽曲を購入したユーザの顧客情報をも送るようにしたので、例えば、アーティストごと、あるいは楽曲ごとのランキング等を客層ごとに把握すること等、市場の動向をリアルタイムでリサーチすることも可能となる。
【０１４６】
さらに、本実施の形態の楽曲配信受信システムでは、配信される楽曲に対して複数の暗号鍵による暗号化処理を行うようにしたので、不正な視聴を排除することができ、システムの信頼性を担保することができる。
【０１４７】
さらに、本実施の形態の楽曲配信受信システムでは、加入者宅に配置された受信設備４の受信装置４ｂは、ＩＣカード内の購入記録データを顧客管理センタ６に送信するだけでよく、配信装置１の側に送る必要がない。したがって、例えば、既存の楽曲配信受信システムに対して本発明の著作権管理機能を追加しようとする場合、加入者は自己の既設の受信設備４に何ら改変を加える必要がなく、配信事業者側において配信装置１内に著作権管理装置を新たに設けるという変更を行うだけでよい。すなわち、そのようなシステムの変更を行う場合であっても、加入者にとって新たな負担が生じることはない。
【０１４８】
以上、実施の形態を挙げて本発明を説明したが、本発明はこの実施の形態に限定されず、種々の変形が可能である。例えば、上記実施の形態では、顧客管理を行う顧客管理センタ６を配信装置１とは別個に配設するようにしたが、この顧客管理センタ６の機能を配信装置１に持たせるようにしてもよい。
【０１４９】
また、上記実施の形態では、加入者宅の受信装置４ｂと顧客管理センタ６との間を電話回線５によって接続するようにしたが、他の回線、例えばインターネットやＩＳＤＮ等の回線を用いるようにしてもよい。
【０１５０】
また、上記実施の形態では、本発明をディジタル衛星放送システムに適用する場合について説明したが、本発明は地上波放送により配信される楽曲をダウンロードするシステム、ケーブル放送により配信される楽曲をダウンロードするシステム、あるいはインターネットを介して楽曲をダウンロードするシステムにも適用できる。さらに、本発明は、配信される対象が楽曲素材である場合のみならず、例えば映画等の映像素材等のように、著作物の内容をデータとして配信できるものであれば、他の種類の著作物を配信するシステムにも適用可能である。例えば、本発明は、書籍や雑誌、新聞等の活字情報や静止画像を配信する電子配本システム、電子雑誌講読システムおよび電子新聞講読システム等にも適用可能である。
【図面の簡単な説明】
【０１５１】
【図１】本発明の一実施の形態に係る著作物配信受信システムとしての楽曲配信受信システムの全体構成を示すブロック図である。
【図２】図１に示した配信装置における著作権管理装置の構成を表すブロック図である。
【図３】図１に示した地上局の構成の一例を示すブロック図である。
【図４】図１に示した楽曲配信受信システムにおいて配信されるデータの一例の構造を示す図である。
【図５】図１に示した楽曲配信受信システムにおいて配信されるデータが多重化および再構築される様子を示す図である。
【図６】図１に示した受信装置の構成の一例を示すブロック図である。
【図７】図１に示した受信装置とストレージデバイスとの接続の態様を説明するための図である。
【図８】図１に示したストレージデバイスの構成の一例を示すブロック図である。
【図９】図１に示したストレージデバイスへの記録フォーマットの一例を示す図である。
【図１０】図１に示したシステムにおけるテレビジョン受像機に表示される画面の一例を示す図である。
【図１１】図１に示した楽曲配信受信システムにおいて配信される楽曲についての著作権管理を中心とした概略の処理の流れを表す流れ図である。
【図１２】図１１に続く流れ図である。
【図１３】図１に示した楽曲配信受信システムにおける配信情報のうちの楽曲、個別情報および番組識別情報の暗号化および復号化処理に係る主要部のみを図示したブロック図である。
【符号の説明】
【０１５２】
１…配信装置、２…地上局、３…衛星、４…受信設備、４ｂ…受信装置、４ｃ…ストレージデバイス、４ｄ…テレビジョン受像機、６…顧客管理センタ、６ａ…顧客管理コンピュータ、６ｂ…顧客情報データベース、５８…制御用ＣＰＵ、６５…ＩＣカード、１０１…番組編成入力端末、１０２…楽曲入力端末、１０３…著作権情報入力端末、１０４…著作権管理装置、１０５…暗号化装置、１０５ａ…暗号鍵データベース、１０６…テレビ番組素材サーバ、１０７…楽曲素材サーバ、１０８…音声付加情報サーバ、１０９…ＧＵＩデータサーバ、１１１…番組編成サーバ、１０４１…番組識別情報データベース、１０４２…著作権情報データベース、１０４２ａ…マスターデータベース、１０４２ｂ…販売履歴データベース、１０４３…ＣＰＵ。
【図１】
2008005533.tif 000003
【図２】
2008005533.tif 000004
【図３】
2008005533.tif 000005
【図４】
2008005533.tif 000006
【図５】
2008005533.tif 000007
【図６】
2008005533.tif 000008
【図７】
2008005533.tif 000009
【図８】
2008005533.tif 000010
【図９】
2008005533.tif 000011
【図１０】
2008005533.tif 000012
【図１１】
2008005533.tif 000013
【図１２】
2008005533.tif 000014
【図１３】
2008005533.tif 000015